【事件の表示】
　特許第３２１６７２８号「ゴルフクラブ用シャフト」の請求項１乃至４に係る特許に対する特許異議の申立てについて、次のとおり決定する。
【結　論】
　訂正を認める。
　特許第３２１６７２８号の請求項１乃至２に係る特許を取り消す。
【理　由】
１．手続の経緯
　主な手続の経緯は次のとおりである。
　出願　　　　　　　　　　　　　　　　　　平成　４年　６月２３日
　本件公開公報発行　　　　　　　　　　　　平成　６年　１月１１日
　拒絶理由通知（２回目）発送　　　　　　　平成１３年　２月２０日
　補正書提出　　　　　　　　　　　　　　　平成１３年　４月２０日
　登録　　　　　　　　　　　　　　　　　　平成１３年　８月　３日
　特許異議申し立て（全請求項）　　　　　　平成１４年　４月　９日
　第１回取消理由通知発送　　　　　　　　　平成１４年　９月２７日
　第１回特許異議意見書提出　　　　　　　　平成１４年１１月２６日
　第１回訂正請求（後日取り下げ）　　　　　平成１４年１１月２６日
　審尋（対申立人）　　　　　　　　　　　　平成１５年　１月１０日
　申立人回答書提出　　　　　　　　　　　　平成１５年　２月１０日
　第２回取消理由通知発送　　　　　　　　　平成１６年　４月　２日
　第２回特許異議意見書提出　　　　　　　　平成１６年　５月２７日
　第２回訂正請求（後日取り下げ）　　　　　平成１６年　５月２７日
　訂正拒絶理由通知発送　　　　　　　　　　平成１６年　６月１８日
　第３回取消理由通知発送　　　　　　　　　平成１６年　６月１８日
　第３回特許異議意見書提出　　　　　　　　平成１６年　８月　５日
　第３回訂正請求　　　　　　　　　　　　　平成１６年　８月　５日
　訂正拒絶理由通知発送　　　　　　　　　　平成１６年　９月２８日
　意見書提出　　　　　　　　　　　　　　　平成１６年１１月２６日
　　　
２．訂正の適否
（１）訂正の内容
　特許権者の求めている訂正（上記第３回訂正請求）の内容は、以下のとおりである（訂正箇所にアンダーラインを付した。）。
　ａ．訂正事項ａ
　特許請求の範囲の
　「【請求項１】 合成樹脂を含浸した高強度繊維で形成される筒状のシャフト本体に、金属粉末を混入した重量バランス調整層と、当該重量バランス調整層を内外から覆う内層と外層を設けたことを特徴とするゴルフクラブ用シャフト。
【請求項２】 重量バランス調整層は、外層に比しシャフト本体の長手方向に短く形成されていることを特徴とする請求項１記載のゴルフクラブ用シャフト。
【請求項３】 重量バランス調整層は、金属粉末を混入した繊維強化樹脂で形成されていることを特徴とする請求項１又は請求項２記載のゴルフクラブ用シャフト。
【請求項４】 繊維強化樹脂は、ガラス繊維強化樹脂であることを特徴とする請求項３記載のゴルフクラブ用シャフト。」
　を、
　「【請求項１】 合成樹脂を含浸した高強度繊維で形成される筒状のシャフト本体に、金属粉末を混入した
ガラス繊維強化樹脂で形成される
カーボン繊維強化樹脂で形成され、
【請求項２】 重量バランス調整層は、外層に比しシャフト本体の長手方向に短く形成されていることを特徴とする請求項１
に
と訂正する。
　ｂ．訂正事項ｂ      
　発明の詳細な説明の段落【０００１】における「本発明は、ゴルフクラブ用シャフトとその製造方法に関する」を、「本発明は、ゴルフクラブ用シャフトに関する。」と訂正する。
　ｃ．訂正事項ｃ
　発明の詳細な説明の段落【０００８】における「本発明は斯かる実情に鑑み案出されたもので、耐久性に優れ、重量バランスのバラツキのないゴルフクラブ用シャフトと、所望の位置に容易に重量バランス設定を行うことのできるゴルフクラブ用シャフトの製造方法を提供することを目的とする。」を、「本発明は斯かる実情に鑑み案出されたもので、耐久性に優れ、重量バランスのバラツキのないゴルフクラブ用シャフトを提供することを目的とする。」と訂正する。            
　ｄ．訂正事項ｄ
　発明の詳細な説明の段落【０００９】における「斯かる目的を達成するため、請求項１に係るゴルフクラブ用シャフトは、合成樹脂を含浸した高強度繊維で形成される筒状のシャフト本体に、金属粉末を混入した重量バランス調整層と、当該重量バランス調整層を内外から覆う内層と外層を設けたことを特徴とし、請求項２に係る発明は、請求項１記載のゴルフクラブ用シャフトに於て、重量バランス調整層が、外層に比しシャフト本体の長手方向に短く形成されていることを特徴とする。」を、「斯かる目的を達成するため、請求項１に係るゴルフクラブ用シャフトは、合成樹脂を含浸した高強度繊維で形成される筒状のシャフト本体に、金属粉末を混入した
ガラス繊維強化樹脂で形成される
カーボン繊維強化樹脂で形成され、
に
　ｅ．訂正事項ｅ
　発明の詳細な説明の段落【００１２】における「又、重量バランス調整層を覆う内層と外層が、重量バランス調整層の剥離をその内側と外側から防止し、更に又、重量バランス調整層の外側を外層で覆った構造であるため、製造の最終工程に於て重量バランス調整層が研磨されることがなく、この結果、重量バランスの調節に狂いが生じることがない。」を、「又、重量バランス調整層を覆う内層と外層が、重量バランス調整層の剥離をその内側と外側から防止す
るが、重量バランス調整層を構成するガラス繊維は、内層と外層を構成するカーボン繊維に比し弾性率が低いため、シャフトが曲がった際に低弾性の重量バランス調整層がシャフトの剛性にあまり影響を及ぼさず、内層及び外層の層間に生ずる剪断ひずみ（応力集中）を防止して、内外層との層間剥離を防止する。そして、
　ｆ．訂正事項ｆ
　発明の詳細な説明の段落【００１３】における「そして、請求項４に係る発明によれば、ガラス繊維強化樹脂はカーボン繊維強化樹脂に比し比重が大きいため、重量バランス調整層をカーボン繊維強化樹脂で成形する場合に比べ混入させる金属粉末の量を削減することができ、又、ガラス繊維強化樹脂はカーボン繊維強化樹脂に比し弾性率が低いため、重量バランス調整層がゴルフクラブ用シャフトの剛性にあまり影響を及ぼさない」を、「
更に又、ガラス繊維はカーボン繊維
した場合に比し、
　ｇ．訂正事項ｇ
　発明の詳細な説明の段落【００１５】における「図１は請求項１乃至請求項４の一実施例に係るゴルフクラブ用シャフトの製造方法」を、「図１は請求項
１及び請求項２
　ｈ．訂正事項ｈ
　発明の詳細な説明の段落【００２４】における「而して、このように構成されたゴルフクラブ用シャフトにあっては、金属粉末１７が混入された重量バランス調整層１９が、従来のウエイト部材と同様、シャフト本体７の重量バランスの調整を図り、夫々のゴルフクラブに適した重量バランスを保つこととなる。そして、当該重量バランス調整層１９は、内層１３と外層１５と一体となって両層１３，１５の間に保持され、その剥離が防止される。而も、ガラス繊維はカーボン繊維に比し比重が大きいため、重量バランス調整層１９をカーボン繊維で成形した場合に比し、混入させる金属粉末１７の量を削減することができ、又、ガラス繊維はカーボン繊維に比し弾性率が低いため、重量バランス調整層１９がゴルフクラブ用シャフトの剛性にあまり影響を及ぼさない。」を、「而して、このように構成されたゴルフクラブ用シャフトにあっては、金属粉末１７が混入された重量バランス調整層１９が、従来のウエイト部材と同様、シャフト本体７の重量バランスの調整を図り、夫々のゴルフクラブに適した重量バランスを保
つ。そして、
て
が、重量バランス調整層１９を構成するガラス繊維は、内層１３や外層１５，補強層２１を構成するカーボン繊維に比し弾性率が低いため、シャフトが曲がった際に低弾性の重量バランス調整層がシャフトの剛性にあまり影響を及ぼさず、内層１３及び外層１５の層間に生ずる剪断ひずみ（応力集中）を防止して、内外層１３，１５との層間剥離を防止する。而
る。
　ｉ．訂正事項ｉ
　発明の詳細な説明の段落【００２５】における「而も、シャフト本体内にウエイト部材を接着剤で固定する従来構造と異なり、内層１３と外層１５が重量バランス調整層１９の剥離を防止するため、打球時の衝撃で重量バランス調整層１９が剥離することがなく、従来に比しゴルフクラブ用シャフトの耐久性が向上することとなる。」を、「而も、シャフト本体内にウエイト部材を接着剤で固定する従来構造と異なり、
既述したように
し、また、シャフトが曲がった際に低弾性のガラス繊維からなる重量バランス調整層１９がシャフトの剛性にあまり影響を及ぼさず、内層１３及び外層１５の層間に生ずる剪断ひずみを防止して、内外層１３，１５との層間剥離を防止するため、
った。
　ｊ．訂正事項ｊ
　発明の詳細な説明の段落【００２７】における「而も、既述したように本実施例は、重量バランス調整層１９にガラス繊維を用いたが、ガラス繊維はカーボン繊維に比し比重が大きいため、重量バランス調整層１９をカーボン繊維で成形する場合に比し混入させる金属粉末１７の量を削減することができるし、又、ガラス繊維はカーボン繊維に比し弾性率が低いため、重量バランス調整層１９がシャフト本体７の剛性にあまり影響を及ぼすことがなく、この結果、ゴルフクラブ用シャフトの調子が狂わず、予定通りの調子にゴルフクラブ用シャフトを製造することができる利点を有する。」を、「而も、既述したように
重量バランス調整層１９を構成する
した
　ｋ．訂正事項ｋ
　発明の詳細な説明の段落【００２９】における「以上述べたように、各請求項に係るゴルフクラブ用シャフトによれば、内層と外層が重量バランス調整層の剥離を防止するため、打球時の衝撃で重量バランス調整層が剥離することがなく、従来に比しゴルフクラブ用シャフトの耐久性が向上し、又、重量バランスのバラツキがなくなる利点を有する。而も、重量バランス調整層の外側を外層で覆った構造であるため、製造の最終工程に於て重量バランス調整層が研磨されることがなく、この結果、重量バランスの調節に狂いが生じることもない。そして、請求項４に係る発明によれば、ガラス繊維強化樹脂はカーボン繊維強化樹脂に比し比重が大きいため、重量バランス調整層をカーボン繊維強化樹脂で成形する場合に比し混入させる金属粉末の量を削減することができるし、又、ガラス繊維強化樹脂はカーボン繊維強化樹脂に比し弾性率が低いため、重量バランス調整層がシャフト本体の剛性にあまり影響を及ぼすことがなく、この結果、ゴルフクラブ用シャフトの調子が狂わず、予定通りの調子にゴルフクラブ用シャフトを製造することができる利点を有する。」を、「以上述べたように、各請求項に係るゴルフクラブ用シャフトによれば、
曲げや捩り等の負荷が多くかかる長期に亘る使用でも、
また、シャフトが曲がった際に低弾性のガラス繊維からなる重量バランス調整層が、カーボン繊維からなる内層，外層の層間に生ずる剪断ひずみを防止して、内外層との層間剥離を防止するため、長期に亘る
る。而
そして、
　ｌ．訂正事項ｌ
　発明の詳細な説明の段落【００３０】における「請求項１乃至請求項４の一実施例に係る」を「請求項１及び請求項２の一実施例に係る」と訂正する。
　　
（２）訂正の判断
　上記訂正事項ａは、以下の事項を含んでいる。
　ａ−１．請求項１において、重量バランス調整層がガラス繊維強化樹脂で形成されると共に内層と外層がカーボン繊維強化樹脂で形成されると限定すると共に、請求項３及び４を削除する。
　ａ−２．請求項２における「請求項１記載の」を「請求項１に記載の」と「請求項１」と「記載」との間に助詞「に」を挿入することで両者の関係をより明確化する。
　上記ａ−１に関して、願書に添付された明細書（出願当初ではなく、設定登録時の明細書、以下、「特許明細書」という）には、「本実施例では、内層１３，外層１５及び補強層２１を形成するプリプレグシートや補助プリプレグシートには、カーボン繊維の高強度繊維に、エポキシ，ポリエステル等の合成樹脂からなるマトリックスを含浸したものを使用し、又、重量バランス調整層１９を形成する補助プリプレグシートには、ガラス繊維の高強度繊維に、上記金属粉末１７を混入したエポキシやポリエステル等のマトリックスを含浸したものを使用している。」（段落【００１９】参照）と記載されている。
　してみると、上記訂正事項ａは、特許明細書に記載されていた事項の範囲内において、特許請求の範囲の減縮及び明りょうでない記載の釈明を目的とするものである。
　また、上記訂正事項ｂ及びｃは、特許請求の範囲の記載（物の発明のみ）と発明の詳細な説明の記載との整合を図るため、発明の詳細な説明の記載を訂正（本件発明が製造方法にも関するものである旨の記載を削除）したものであるから、明りょうでない記載の釈明を目的とするものである。
　さらに、上記訂正事項ｄ、ｆ、ｇ、ｊ、ｌは、訂正事項ａに伴い特許請求の範囲の記載と発明の詳細な説明の記載との整合を図るため、発明の詳細な説明の記載を訂正したものであるから、明りょうでない記載の釈明を目的とするものである。
　しかしながら、上記訂正事項ｅ、ｈ、ｉ、ｋにおける「シャフトが曲がった際に、ガラス繊維からなる低弾性の重量バランス調整層が、カーボン繊維からなる内，外層の層間に生ずる剪断ひずみ（応力集中）を防止して内外層との層間剥離を防止する」という記載は、その意味が、以下の理由で明瞭でない。
　［理由］
　内外層に挟まれる重量バランス調整層には、無視できない程度の量で金属粉末が混入されると思われ、そのとき、その金属粉末はその重量バランス調整層全体の弾性率にいかなる影響を与えるのか不明であり、仮に、重量バランス調整層全体としての弾性率が、ガラス繊維を含むことにより、カーボン繊維からなる内外層のそれに比べて、低くなったとしても、重量バランス調整層が内外層に比べて低弾性であることが、そうでないことと比べて、層間剥離が発生し易いと、確定的にいうことができない。
　そうすると、本件訂正については、上記理由で、少なくとも、訂正目的が特許法第１２０条の４第３項において準用する平成６年法律第１１６号による改正前の特許法第１２６条第１項ただし書きの規定に適合しない。したがって、当該訂正事項を含む本件訂正は、訂正が認められるべきものでない。
　しかし、上記訂正事項ｅ、ｈ、ｉ、ｋを含むか否かによって、本件訂正に係る請求項１及び２に係る発明の認定に変更が生じるわけでなく、また、本件出願日の認定にも変更が生じるものでもなく、さらに、後記３．（４）のとおり、本件訂正に係る請求項１及び２に係る発明に進歩性がない以上、本件訂正を認めないとすることには意味がない。
　そこで、本決定では、本件訂正を認めることとする。
　　　
３．特許異議申し立てについての判断
（１）本件発明の認定
　上記訂正によって訂正された明細書の特許請求の範囲の請求項１及び２の記載は、以下のとおりである。
「【請求項１】 合成樹脂を含浸した高強度繊維で形成される筒状のシャフト本体に、金属粉末を混入したガラス繊維強化樹脂で形成される重量バランス調整層と、カーボン繊維強化樹脂で形成され、当該重量バランス調整層を内外から覆う内層と外層を設けたことを特徴とするゴルフクラブ用シャフト。
【請求項２】 重量バランス調整層は、外層に比しシャフト本体の長手方向に短く形成されていることを特徴とする請求項１に記載のゴルフクラブ用シャフト。」
　上記請求項１における「・・・シャフト本体に、・・・重量バランス調整層と、・・・内層と外層を設けた」という記載をみると、「シャフト本体」に対して、これとは別の、「重量バランス調整層」、「内層」及び「外層」を設けたものとも解されるが、本件特許明細書の「ゴルフクラブ用シャフト７は、以下の如き製造方法によって製造される。先ず、上記補強層２１を形成・・・次に、内層１３を形成する・・・この後、上記重量バランス調整層１９を形成する・・・その外側に外層１５を形成する・・・熱硬化処理を行った後、マンドレル２３を引き抜き・・・シャフト本体７が製造される」（段落【００２０】〜【００２３】参照）との記載及び図面（特に図３）を参酌すると、「重量バランス調整層」、「内層」及び「外層」は、「シャフト本体」に対して、別にあるわけでなく、「シャフト本体」を構成するものとしてあるものと把握される。
　そうすると、本件請求項１及び２に係る発明は、以下のとおりのもであると認定できる。
　「【請求項１】 合成樹脂を含浸した高強度繊維で形成される筒状のシャフト本体が、金属粉末を混入したガラス繊維強化樹脂で形成される重量バランス調整層と、カーボン繊維強化樹脂で形成され、当該重量バランス調整層を内外から覆う内層と外層から構成されたことを特徴とするゴルフクラブ用シャフト。
【請求項２】 重量バランス調整層は、外層に比しシャフト本体の長手方向に短く形成されていることを特徴とする請求項１に記載のゴルフクラブ用シャフト。」（以下、「本件発明１及び２」という。）
　　　
（２）本件発明の出願日の認定
　本件特許出願は、以下の理由で、平成１３年４月２０日にしたものとみなされる。 
［理由］
　平成１３年４月２０日付の手続補正により、内層１３及び外層１５を形成するプリプレグシートの高強度繊維がカーボン繊維で、重量調整バランス調整層を形成する補助プリプレグの高強度繊維がガラス繊維（特許明細書の段落【００１９】参照）と選択し、その選択の技術的意義が「ガラス繊維はカーボン繊維に比し比重が大きいため、重量バランス調整層１９をカーボン繊維で成形した場合に比し、混入させる金属粉末１７の量を削減することができ、又、ガラス繊維はカーボン繊維に比し弾性率が低いため、重量バランス調整層１９がゴルフクラブ用シャフトの剛性にあまり影響を及ぼさない。」（特許明細書の段落【００２４】、同段落【００２７】及び同段落【００２９】）であるとしている。
　ところで、本件の願書に最初に添付された明細書（以下、「出願当初の明細書」という。）の段落【００１９】の「本実施例では、内層１３，外層１５及び補強層２１を成形するプリプレグシートや補助プリプレグシートには、カーボン繊維やガラス繊維等の高強度繊維に、エポキシ，ポリエステル等の合成樹脂からなるマトリックスを含浸したものを使用し、又、重量バランス調整層１９を成形する補助プリプレグシートには、カーボン繊維やガラス繊維等の高強度繊維に、上記金属粉末１７を混入したエポキシやポリエステル等のマトリックスを含浸したものを使用している。」の文において、「又、」を挟んで、内層１３，外層１５及び補強層２１に対照させて、重量バランス調整層１９を記述しているが、これは、金属粉末の混入の有無の違いをいうためであって、それらに使用する高強度繊維については、カーボン繊維とガラス繊維は同等に扱われ、重量バランス調整層と内層１３，外層１５及び補強層２１の間で何ら区別しているわけでなく、まして、重量バランス調整層にガラス繊維を使用して、バランス調整機能の達成に寄与させること等について何らの示唆もない。さらに、段落【００１９】以外の出願当初の明細書全体を精査しても、カーボン繊維とガラス繊維を区別する旨の記載はみあたらない。
　ゆえに、上記選択は、出願当初の明細書又は図面に記載されていた技術的事項でなく、また、その記載からみて自明な事項でもなく、しかも、本件発明の構成に関する技術的事項であるから、上記手続補正は明細書の要旨を変更するものと認められる。
　したがって、当該補正に基づく本件特許出願に対して、既に特許権の設定がなされているから、本件特許出願は、平成５年改正前特許法第４０条の規定により、平成１３年４月２０日にしたものとみなされる。
　なお、この点について、特許権者は、以下の旨の主張をしている（平成１６年８月６日付提出の特許異議意見書参照）。
　出願当初の明細書には、上記段落【００１９】の記載から、以下の構造１〜４が実施例として開示されているといえ、上記平成１３年４月２０日付けの手続き補正は、構造１〜３を削除し、構造４を抽出したもので明細書の要旨を変更するものでない。
［構造１］内層１３，外層１５及び補強層２１を成形するブリプレグシ一トに、カーボン繊維の高強度繊維に、エポキシ，ポリエステル等の合成樹脂からなるマトリックスを含浸したものを使用し、重量バランス調整層１９を成形する補助プリブレグシートに、カーボン繊維の高強度繊維に金属粉末１７を混入したエポキシやポリエステル等のマトリックスを含浸した構造。
［構造２］内層１３，外層１５及び補強層２１を成形するプリプレグシートに、ガラス繊維の高強度繊維に、エポキシ，ポリエステル等の合成樹脂からなるマトリックスを含浸したものを使用し、重量バランス調整層１９を成形する補助プリプレグシートに、カーボン繊維の高強度繊維に金属粉末１７を混入したエポキシやポリエステル等のマトリックスを含浸したものを使用した構造。
［構造３］内層１３，外層１５及び補強層２１を成形するプリプレグシートに、ガラス繊維の高強度繊維に、エポキシ，ポリエステル等の合成樹脂からなるマトリックスを含浸したものを使用し、重量バランス調整層１９を成形する補助プリプレグシートに、ガラス繊維の高強度繊維に金属粉末１７を混入したエポキシやポリエステル等のマトリックスを含浸したものを使用した構造。
［構造４］内層１３，外層１５及び補強層２１を成形するプリプレグシートに、カーボン繊維の高強度繊維に、エポキシ，ポリエステル等の合成樹脂からなるマトリックスを含浸したものを使用し、重量バランス調整層１９を成形する補助プリブレグシートに、ガラス繊維の高強度繊維に金属粉末１７を混入したエポキシやポリエステル等のマトリックスを含浸したものを使用した構造。
　しかし、［構造１］〜［構造４］は、出願当初の明細書に明示的に実施例として記載されているものでなく、上述のとおり、出願当初の明細書全体を精査しても、内層１３，外層１５及び補強層２１を成形するブリプレグシ一トと、重量バランス調整層１９を成形する補助プリプレグシートとの間で、カーボン繊維とガラス繊維を区別して使用することについて、記載も示唆もないから、上記［構造１］及び［構造３］は、出願当初の明細書又は図面の記載から自明の範囲内であるといえても、上記［構造２］及び［構造４］は、出願当初の明細書又は図面の記載から自明の範囲を超えている。
　ゆえに、上記特許権者の主張は、採用することができない。
　　　
（３）刊行物に記載された発明
　当審が平成１６年６月１１日付け（平成１６年６月１８日発送）で通知した取消理由に引用した刊行物１（実願平５−３５８７７号（実開平７−５６６１号）のＣＤ−ＲＯＭ（平成７年１月２７日頒布））及び刊行物２（特開平６−２３４号公報（本件の公開公報、平成６年１月１１日頒布））には、本件発明１及び２に関連する事項として、それぞれ、以下の事項が図示と共に記載されている。
　ア．刊行物１
　ａ．「シャフトの太径側中間層にガラス繊維とチタン繊維等の金属繊維を複合させるとより効果が大きくなる。」（段落【００１５】）
　ｂ．「金属製芯金にＦＷ法によりエポキシ樹脂を含浸したトレカＴ（炭素繊維、東レ株式会社製商品名）を・・・巻付け内層２を形成させる。その後、ガラス繊維ＦＥＲ１１５０（富士ファイバーグラス株式会社製商品名）をＦＷ法で同様に・・・巻付けて中間層３を形成させる。次に内層２と同様に、・・トレカＴ（炭素繊維、東レ株式会社製商品名）を・・・巻付け外層４を形成する。」（段落【００１８】〜【００２０】参照）
　ｃ．「本考案によるゴルフクラブ用シャフトは、シャフトの太径側中間層に、他の部位よりも比重の大きいＦＲＰ層を形成するという構成であり、太径側中間層の繊維構成、範囲、厚さを任意に変化させることによりシャフトのバランスポイントを太径側に移動することができ」（段落【００２２】参照）
　上記記載を含む刊行物１には、
「金属製芯金にＦＷ法によりエポキシ樹脂を含浸したトレカＴ（炭素繊維、東レ株式会社製商品名）を巻付け内層２を形成させ、その後、ガラス繊維ＦＥＲ１１５０（富士ファイバーグラス株式会社製商品名）をＦＷ法で同様に巻付けて他の部位よりも比重の大きい中間層３を形成させ、次に、内層２と同様に、トレカＴ（炭素繊維、東レ株式会社製商品名）を巻付け外層４を形成するゴルフクラブ用シャフト」（以下、「刊行物１発明」という。）
が記載されている。
　イ．刊行物２
　ｃ．「７は高強度繊維を用いた繊維強化樹脂等の合成樹脂材で成形された筒状のシャフト本体・・・図３に示すように、ヘッド１１が装着されるシャフト本体７の先端側は、プリプレグシートを夫々複数回巻回してなる内層１３と外層１５の間に、重量バランス調整用の金属粉末１７が混入された重量バランス調整層１９が、補助プリプレグシートを複数回巻回して設けられており」（段落【００１６】〜【００１７】参照）
　上記記載を含む刊行物２には、
　「合成樹脂を含浸した高強度繊維で形成される筒状のシャフト本体が、内外層に比しシャフト本体の長手方向に短い金属粉末を混入した重量バランス調整層と、当該重量バランス調整層を内外から覆う内層と外層から構成されたゴルフクラブ用シャフト」
が記載されている。
　　　　
（４）対比・判断
　本件発明１と上記刊行物１発明とを対比する。
　刊行物１発明の「ゴルフクラブ用シャフト」、「中間層３」、「内層２」及び「外層４」は、それぞれ、本件発明１の「シャフト本体」、「重量バランス調整層」、「内層」及び「外層」に相当している。
　また、刊行物１発明の「炭素繊維」は、カーボン繊維と同義であり、これはガラス繊維と共に、高強度繊維といえるから、刊行物１発明の「金属製芯金にＦＷ法によりエポキシ樹脂を含浸したトレカＴ（炭素繊維、東レ株式会社製商品名）やガラス繊維ＦＥＲ１１５０（富士ファイバーグラス株式会社製商品名）を巻き付けて形成される、内層２、中間層３及び外層４で構成されるゴルフクラブ用シャフト」は、「合成樹脂を含浸した高強度繊維で形成される筒状のシャフト本体」ということができる。
　そうすると、両者の一致点と相違点は以下のとおりである。
　［一致点］
　「合成樹脂を含浸した高強度繊維で形成される筒状のシャフト本体が、ガラス繊維強化樹脂で形成される重量バランス調整層と、カーボン繊維強化樹脂で形成され、当該重量バランス調整層を内外から覆う内層と外層から構成されたゴルフクラブ用シャフト。」
　［相違点］
　重量バランス調整層に、本件発明１では、金属粉末を混入しているのに対して、刊行物１発明では、金属粉末を混入していない点。
　［相違点の判断］
　刊行物１には、刊行物１発明の「中間層３」（重量バランス調整層）にチタン繊維等の金属繊維を複合させることが記載されており（上記（３）ア．ａ．参照）、また、上記刊行物２には、重量バランス調整層に金属粉末を混入させることが記載されているから、刊行物１発明の中間層３（重量バランス調整層）に金属粉末を混入させることに格別阻害要因がなく、当業者が容易に想到できることであり、その作用効果も格別のものでない。
　したがって、本件発明１は、上記刊行物１及び刊行物２に記載された発明に基づいて、当業者が容易に発明をすることができたものである。
　また、重量バランス調整層を、外層に比しシャフト本体の長手方向に短く形成することは、刊行物１と刊行物２に記載されていることであるから、本件発明２も、本件発明１の判断と同様に、上記刊行物１及び刊行物２に記載された発明に基づいて、当業者が容易に発明をすることができたものである。
　　　　
（５）結論
　以上のとおりであるから、本件発明１及び２は、特許法第２９条第２項の規定により特許を受けることができない。
　したがって、本件発明１及び２についての特許は、拒絶の査定をすべき特許出願に対してされたものと認める。
　よって、特許法等の一部を改正する法律（平成６年法律第１１６号）附則第１４条の規定に基づく、特許法等の一部を改正する法律の施行の伴う経過措置を定める政令（平成７年政令第０５号）第４条第２項の規定により、結論のとおり決定する。
【異議決定日】
平成１７年３月１０日（２００５．３．１０）
【訂正の要旨】
審決（決定）の【理由】欄参照。
（５４）【発明の名称】
ゴルフクラブ用シャフト
（５７）【特許請求の範囲】
　【請求項１】合成樹脂を含浸した高強度繊維で形成される筒状のシャフト本体に、金属粉末を混入した
ガラス繊維強化樹脂で形成される
カーボン繊維強化樹脂で形成され、
　【請求項２】重量バランス調整層は、外層に比しシャフト本体の長手方向に短く形成されていることを特徴とする請求項１
に
【発明の詳細な説明】
　【０００１】
　【産業上の利用分野】
　本発明は、ゴルフクラブ用シャフ
トに
　【０００２】
　【従来の技術】
　近年、例えば実公昭６２−１７０９０号公報又は実開平４−７００６１号公報に開示されるように、ゴルフクラブ用シャフトを繊維強化合成樹脂や合成樹脂で成形したゴルフクラブが開発されている。
　【０００３】
　そして、従来、この種のゴルフクラブ用シャフトには、ゴルフクラブの重量バランスの調整を行うために様々な工夫が施されている。
　【０００４】
　図４及び図５は上記実公昭６２−１７０９０号公報に開示されたゴルフクラブ用シャフトを示し、このゴルフクラブ用シャフトは、シャフト本体１のテーパ径に対応したテーパ円柱状を呈するウエイト部材３の周囲に、接着剤を含浸させた綿布材５を巻回被覆し、これをシャフト本体１内の所定位置に挿入固着することによって、ゴルフクラブ用シャフトのバランス調整を図り、併せて硬化後の綿布材５による打球時の耐衝撃性の向上を図ったものである。
　又、実開平４−７００６１号公報で開示されたゴルフクラブ用シャフトは、カーボン繊維プリプレグシートを複数枚積層させて中空筒状のシャフトを構成してなるゴルフクラブ用カーボンシャフトに於て、上記カーボン繊維プリプレグシートを構成するマトリックス樹脂に高比重粉体を所定の添加量充填し、当該カーボン繊維プリプレグシートを、シャフトの重心位置に応じて配置し積層させることにより中空筒状のシャフトを構成したことを特徴とする。
　【０００５】
　【発明が解決しようとする課題】
　然し乍ら、図４及び図５に示すように中空なシャフト本体１内にウエイト部材３を挿入してこれを固定する従来の方法では、ウエイト部材３の固定位置にバラツキが生じ易く、又、接着剤の塗布量のバラツキによってもゴルフクラブ全体の重量バランスに狂いが生じてしまう欠点があった。
　【０００６】
　又、接着剤を綿布材５に含浸させたとしても接着強度にバラツキが生じることは避けられず、長期に亘る使用により、打撃時の衝撃でウエイト部材３がシャフト本体１から剥離する虞もある。特に、マンドレル（芯金）に合成樹脂を含浸した高強度繊維からなるプリプレグシートを巻回し、これに熱硬化処理を施し、マンドレルを引き抜いて形成されるシャフト本体では、マンドレルの引き抜きのためにマンドレルの外周に剥離剤を塗布しているため、上述の如きウエイト部材３を接着剤で固着させることが非常に困難で、衝撃によるウエイト部材３の剥離といった問題点が指摘されている。
　【０００７】
　更に又、上述の如くウエイト部材３の周囲に接着剤を含浸させた綿布材５を巻回被覆してこれをシャフト本体１内の所定位置に挿入固定する方法は、多大な工数が必要であるという問題もあった。
　一方、実開平４−７００６１号公報で開示された後者の従来例にあっては、高比重粉体を充填したカーボン繊維プリプレグシートをシャフト本体の最外層に巻回してしまうと、高比重粉体を所定量充填してバランス調節を行ったにも拘わらず、製造の最終工程に於けるシャフト本体外周の研磨で高比重粉体の一部が除去されてバランス調節に狂いが生じ、又、長期に亘る使用によって、高比重粉体を充填したカーボン繊維プリプレグシートで形成された層が剥離してしまう虞もあった。
　【０００８】
　本発明は斯かる実情に鑑み案出されたもので、耐久性に優れ、重量バランスのバラツキのないゴルフクラブ用シャフ
トを
　【０００９】
　【課題を解決するための手段】
　斯かる目的を達成するため、請求項１に係るゴルフクラブ用シャフトは、合成樹脂を含浸した高強度繊維で形成される筒状のシャフト本体に、金属粉末を混入した
ガラス繊維強化樹脂で形成される
カーボン繊維強化樹脂で形成され、
に
　【００１０】
　【００１１】
　【００１２】
　【作用】
　各請求項に係るゴルフクラブ用シャフトによれば、シャフト本体内に形成された重量バランス調整層がシャフト本体の重量バランスの調整を図り、夫々のゴルフクラブに適した重量バランスを保つこととなる。
　又、重量バランス調整層を覆う内層と外層が、重量バランス調整層の剥離をその内側と外側から防止
するが、重量バランス調整層を構成するガラス繊維は、内層と外層を構成するカーボン繊維に比し弾性率が低いため、シャフトが曲がった際に低弾性の重量バランス調整層がシャフトの剛性にあまり影響を及ぼさず、内層及び外層の層間に生ずる剪断ひずみ（応力集中）を防止して、内外層との層間剥離を防止する。
　
そして、
　【００１３】
　
更に又、ガラス繊維はカーボン繊維
した場合に比し、
る。
　【００１４】
　【００１５】
　【実施例】
　以下、本発明の実施例を図面に基づき詳細に説明する。
　図１は請求項１
及び請求項２
　【００１６】
　図２に於て、７は高強度繊維を用いた繊維強化樹脂等の合成樹脂材で形成された筒状のシャフト本体で、当該シャフト本体７は、後端側のグリップ９の装着部から先端側のヘッド１１の装着部にかけて徐々に径が細くなるようにテーパ状に形成されている。
　【００１７】
　そして、図３に示すように、ヘッド１１が装着されるシャフト本体７の先端側には、プリプレグシートを夫々複数回巻回してなる内層１３と外層１５の間に、重量バランス調整用の金属粉末１７が混入された重量バランス調整層１９が、内，外層１３，１５を形成するプリプレグシートより長手方向に長さの短い補助プリプレグシートを複数回巻回して設けられており、このように金属粉末１７が混入された重量バランス調整層１９をシャフト本体７の先端側に設けることによって、当該重量バランス調整層１９がシャフト本体７の重量バランスの調整を図り、夫々のゴルフクラブに適した重量バランスを持つシャフトが得られるようになっている。そして、重量バランス調整層１９の内側と外側を内，外層１３，１５で覆うことで、重量バランス調整層１９の剥離を防止している。
　尚、上記金属粉末１７は、シャフト本体７の重量バランスの調整を図るため、比重７以上の例えば鉄，真鍮，銅，鉛，タングステン，金，銀といった比重の重い金属が用いられている。
　【００１８】
　又、シャフト本体７の先端側の内層１３の内側（最内層）には、更に、補助プリプレグシートを複数回巻回してなる補強層２１が形成されており、当該補強層２１によって、打球時の衝撃に対するシャフト本体７の先端側の補強が図られている。
　【００１９】
　尚、本実施例では、内層１３，外層１５及び補強層２１を形成するプリプレグシートや補助プリプレグシートには、カーボン繊維の高強度繊維に、エポキシ，ポリエステル等の合成樹脂からなるマトリックスを含浸したものを使用し、又、重量バランス調整層１９を形成する補助プリプレグシートには、ガラス繊維の高強度繊維に、上記金属粉末１７を混入したエポキシやポリエステル等のマトリックスを含浸したものを使用している。
　【００２０】
　本実施例に係るゴルフクラブ用シャフトはこのように構成されており、当該ゴルフクラブ用シャフト７は、以下の如き製造方法によって製造される。
　先ず、上記補強層２１を形成するため、図１に示すように外周をテーパ面としたマンドレル２３の先端に、一方向に引き揃えたカーボン繊維の高強度繊維２５にエポキシやポリエステル等の合成樹脂からなるマトリックス２７を含浸した補助プリプレグシート２９を複数回巻回する。
　尚、図示するようにこの補助プリプレグシート２９は、後述するプリプレグシート３１に比しシャフト本体７の長手方向に短く裁断されている。
　【００２１】
　次に、内層１３を形成するため、同様に、一方向に引き揃えたカーボン繊維の高強度繊維２５にエポキシ等のマトリックス２７を含浸したプリプレグシート３１を、マンドレル２３の全長に亘って複数回巻回する。
　【００２２】
　この後、上記重量バランス調整層１９を形成するため、マンドレル２３に巻回した内層１３となるプリプレグシート３１の外側に、当該プリプレグシート３１に比しシャフト本体７の長手方向に短く裁断されて、ガラス繊維の高強度繊維２５に金属粉末１７を混入したマトリックス２７を含浸してなる補助プリプレグシート３３を、マンドレル２３の先端側に複数回巻回し、そして、その外側に外層１５を形成するため、上記プリプレグシート３１と同じプリプレグシート３５をマンドレル２３の全長に亘って複数回巻回する。
　【００２３】
　そして、プリプレグシート３５の外周を緊締テープ（図示せず）で緊縛して熱硬化処理を行った後、マンドレル２３を引き抜き緊締テープを剥離してその外周を研磨することで、本実施例に係るシャフト本体７が製造されることとなる。
　【００２４】
　而して、このように構成されたゴルフクラブ用シャフトにあっては、金属粉末１７が混入された重量バランス調整層１９が、従来のウエイト部材と同様、シャフト本体７の重量バランスの調整を図り、夫々のゴルフクラブに適した重量バランスを保
つ。
　
そして、
て
が、重量バランス調整層１９を構成するガラス繊維は、内層１３や外層１５，補強層２１を構成するカーボン繊維に比し弾性率が低いため、シャフトが曲がった際に低弾性の重量バランス調整層がシャフトの剛性にあまり影響を及ぼさず、内層１３及び外層１５の層間に生ずる剪断ひずみ（応力集中）を防止して、内外層１３，１５との層間剥離を防止する。
　
而
る。
　【００２５】
　従って、本実施例に係るゴルフクラブ用シャフトによれば、金属粉末１７が混入された重量バランス調整層１９によってシャフト本体７の重量バランスの調整を図ることが可能であ
る。
　
而
既述したように
し、また、シャフトが曲がった際に、低弾性のガラス繊維からなる重量バランス調整層１９がシャフトの剛性にあまり影響を及ぼさず、内層１３及び外層１５の層間に生ずる剪断ひずみを防止して、内外層１３，１５との層間剥離を防止するため、
った。
　
又、
　【００２６】
　又、本実施例に係るゴルフクラブ用シャフトは、補助プリプレグシート３３をプリプレグシート３１，３５等と共にマンドレル２３に巻回するだけで、重量バランス調整層１９をシャフト本体７内に形成できるので、図４の如くウエイト部材３の周囲に接着剤を含浸させた綿布材５を巻回被覆してこれをシャフト本体１内に挿入固定する方法に比べ製造が容易であると共に、意図した部分に容易にウエイト設定を行うことが可能で、重量バランスのバラツキが発生することもない。
　【００２７】
　更に又、本実施例によれば、巻回する補助プリプレグシート３３の大きさや巻回位置、金属粉末１７の種類や混入量等を適宜選択することによって、重量バランスの設定を種々行うことができる利点を有する。
　従って、重量バランス調整層１９はシャフト本体７の先端側に設ける他に、長手方向のいずれの位置に設けてもよく、後端側のグリップ装着部付近に設けてもよ
い。
　
而
重量バランス調整層１９を構成する
した
　【００２８】
　【００２９】
　【発明の効果】
　以上述べたように、各請求項に係るゴルフクラブ用シャフトによれば、
曲げや捩り等の負荷が多くかかる長期に亘る使用でも、
し、また、シャフトが曲がった際に、ガラス繊維からなる低弾性の重量バランス調整層が、カーボン繊維からなる内，外層の層間に生ずる剪断ひずみを防止して内外層との層間剥離を防止するため、長期に亘る
る。
　
而
い。
　
そして、ガ
し、ガ
　【００３０】
【図面の簡単な説明】
　【図１】
　請求項１
及び請求項２
　【図２】
　図１の製造方法で製造されたゴルフクラブ用シャフトを用いたゴルフクラブの正面図である。
　【図３】
　図２のＩＩＩ−ＩＩＩ線断面図である。
　【図４】
　従来のウエイト部材の取付方法を示す分解斜視図である。
　【図５】
　図４に示すウエイト部材を挿入固定したゴルフクラブ用シャフトの断面図である。
　【符号の説明】
　７　シャフト本体
　１３　内層
　１５　外層
　１７　金属粉末
　１９　重量バランス調整層
　２１　補強層
　２３　マンドレル
　２９，３３　補助プリプレグシート
　３１，３５　プリプレグシート